(57)【要約】【課題】装置の大型化や構成の複雑化を防止することができる長尺体接続装置及び接続方法を提供すること。【解決手段】長尺体切断装置１０は、旧長尺体ＲＳ１及び新長尺体ＲＳ２の一部領域を重ね合わせて形成された重複領域ＷＡで切断可能な切断刃４１と、新旧長尺体ＲＳ２、ＲＳ１の延出方向に交差する方向に切断刃４１を移動可能な移動手段４３と、接続用接着シートＳＳを供給する供給手段４５と、旧長尺体ＲＳ１の終端縁ＲＳ１ｒと、新長尺体ＲＳ２の先端縁ＲＳ２ｆとに跨る領域に接続用接着シートＳＳを押圧する押圧手段４８とを備えて構成されている。移動手段４３は、接続用接着シートＳＳを保持する保持手段４６を備え、接続用接着シートＳＳを前記跨る領域に対向する位置に配置可能に設けられている。【選択図】図１
2014058370.tif 000002
【特許請求の範囲】
【請求項１】
帯状の旧長尺体及び帯状の新長尺体それぞれの延出方向を一致させた状態で、それらの一部領域を重ね合わせて重複領域を形成し、当該重複領域で前記新旧長尺体を切断することで、前記旧長尺体に終端縁を形成するとともに、前記新長尺体に先端縁を形成し、これら終端縁と先端縁とを突き合わせて接続用接着シートにより接続する長尺体接続装置において、
前記重複領域で新旧長尺体を切断可能な切断手段と、
前記延出方向に交差する方向に前記切断手段を移動可能な移動手段と、
前記接続用接着シートを供給する供給手段と、
前記終端縁と先端縁とに跨る領域に前記接続用接着シートを押圧する押圧手段とを備え、
前記移動手段は、前記供給手段から供給される接続用接着シートを保持する保持手段を備え、前記供給手段から供給される接続用接着シートを前記跨る領域に対向する対向位置に配置可能に設けられていることを特徴とする長尺体接続装置。
【請求項２】
前記移動手段は、前記切断手段と共に前記保持手段を移動可能に設けられていることを特徴とする請求項１記載の長尺体接続装置。
【請求項３】
前記接続用接着シートは接着剤層を備え、当該接着剤層を介して帯状の剥離シートに仮着されて原反を形成し、
前記供給手段は、前記原反から前記接続用接着シートを供給することを特徴とする請求項１又は２記載の長尺体接続装置。
【請求項４】
帯状の旧長尺体及び帯状の新長尺体それぞれの延出方向を一致させた状態で、それらの一部領域を重ね合わせて重複領域を形成する工程と、
単一の移動手段で切断手段を移動させ、前記重複領域で前記新旧長尺体を切断し、前記旧長尺体に終端縁を形成するとともに、前記新長尺体に先端縁を形成する工程と、
前記終端縁と先端縁とに跨る領域に対向する対向位置に前記単一の移動手段で接続用接着シートを配置する工程と、
前記接続用接着シートを前記終端縁と先端縁とに跨る領域に押圧して貼付する工程とを備えていることを特徴とする長尺体接続方法。
【発明の詳細な説明】
【技術分野】
【０００１】
本発明は、長尺体接続装置及び接続方法に係り、更に詳しくは、旧長尺体の終端側と新長尺体の先端側とを接続することができる長尺体接続装置及び接続方法に関する。
【背景技術】
【０００２】
従来より、２本の長尺体を接続するため、旧長尺体の終端側と新長尺体の先端側とを接続することができる接続装置が知られており、かかる接続装置としては、例えば、特許文献１に開示されている。特許文献１の接続装置は、旧長尺体及び新長尺体を切断するカッタ刃を有する切断手段と、旧長尺体の終端縁と新長尺体の先端縁とに跨って接続用接着シートを貼り付ける貼付手段とを備えている。
【先行技術文献】
【特許文献】
【０００３】
【特許文献１】特開２００１−２４０２７８号公報
【発明の概要】
【発明が解決しようとする課題】
【０００４】
しかしながら、特許文献１にあっては、切断手段が長尺体の幅方向にカッタ刃を駆動する駆動機器を備えている一方、貼付手段が接続用接着シートを把持するチャックを駆動する駆動機器を備えている、つまり、切断手段と貼付手段とがそれぞれ駆動機器を備えているので、装置の大型化や構成の複雑化を招来する、という不都合がある。
【０００５】
［発明の目的］
本発明の目的は、装置の大型化や構成の複雑化を防止することができる長尺体接続装置及び接続方法を提供することにある。
【課題を解決するための手段】
【０００６】
前記目的を達成するため、本発明は、帯状の旧長尺体及び帯状の新長尺体それぞれの延出方向を一致させた状態で、それらの一部領域を重ね合わせて重複領域を形成し、当該重複領域で前記新旧長尺体を切断することで、前記旧長尺体に終端縁を形成するとともに、前記新長尺体に先端縁を形成し、これら終端縁と先端縁とを突き合わせて接続用接着シートにより接続する長尺体接続装置において、
前記重複領域で新旧長尺体を切断可能な切断手段と、
前記延出方向に交差する方向に前記切断手段を移動可能な移動手段と、
前記接続用接着シートを供給する供給手段と、
前記終端縁と先端縁とに跨る領域に前記接続用接着シートを押圧する押圧手段とを備え、
前記移動手段は、前記供給手段から供給される接続用接着シートを保持する保持手段を備え、前記供給手段から供給される接続用接着シートを前記跨る領域に対向する対向位置に配置可能に設けられる、という構成を採っている。
【０００７】
本発明において、前記移動手段は、前記切断手段と共に前記保持手段を移動可能に設けられる、という構成が好ましくは採用される。
【０００８】
また、前記接続用接着シートは接着剤層を備え、当該接着剤層を介して帯状の剥離シートに仮着されて原反を形成し、
前記供給手段は、前記原反から前記接続用接着シートを供給する、という構成を採用するとよい。
【０００９】
更に、本発明は、帯状の旧長尺体及び帯状の新長尺体それぞれの延出方向を一致させた状態で、それらの一部領域を重ね合わせて重複領域を形成する工程と、
単一の移動手段で切断手段を移動させ、前記重複領域で前記新旧長尺体を切断し、前記旧長尺体に終端縁を形成するとともに、前記新長尺体に先端縁を形成する工程と、
前記終端縁と先端縁とに跨る領域に対向する対向位置に前記単一の移動手段で接続用接着シートを配置する工程と、
前記接続用接着シートを前記終端縁と先端縁とに跨る領域に押圧して貼付する工程とを備える、という方法を採っている。
【発明の効果】
【００１０】
本発明によれば、切断手段を移動させる移動手段が接続用接着シートを保持する保持手段を移動させることができる。つまり、単一の移動手段により切断手段の移動と接続用接着シートの配置との両方を行うことができる。これにより、切断手段と、接続用接着シートを繰り出す手段とにそれぞれ駆動機器を設ける場合に比べ、装置の大型化や構成の複雑化を防止することが可能となる。
【００１１】
また、移動手段が切断手段と共に保持手段を移動させる構成の場合、装置のさらなる大型化の防止と、制御の複雑化を防止できる。
更に、供給手段が剥離シートに仮着された接続用接着シートを供給するので、接続用接着シートを予め新旧長尺体の幅寸法に応じた長さとして用意することができ、接続用接着シートを切断する装置を省略することができる。
【図面の簡単な説明】
【００１２】
【図１】（Ａ）は、実施形態に係るシート貼付装置の側面図、（Ｂ）は、前記シート貼付装置の動作説明図、（Ｃ）は、（Ａ）の部分正面図。
【発明を実施するための形態】
【００１３】
以下、本発明の実施の形態について図面を参照しながら説明する。
なお、本実施形態において基準となる図を挙げることなく、例えば、上、下、左、右、または、前、後といった方向を示した場合は、全て図１（Ａ）を正規の方向（付した番号が適切な向きとなる方向）から観た場合を基準とし、上、下、左、右方向が紙面に平行な方向であり、前が紙面に直交する手前方向、後が紙面に直交する奥方向とする。
また、本明細書及び特許請求の範囲において、「旧長尺体」及び「新長尺体」は、２本の長尺体を繋ぎ合せるにあたって、相対的に先に繰り出して利用される方を「旧長尺体」とし、旧長尺体に繋ぎ合せて当該旧長尺体の後に繰り出して利用される方を「新長尺体」とする。従って、新長尺体を繰り出して当該新長尺体の終端縁に次の長尺体を繋ぎ合せる場合、新長尺体が旧長尺体となり、次の長尺体が新長尺体となる。
【００１４】
図１において、シート貼付装置１０は、帯状の旧長尺体ＲＳ１及び帯状の新長尺体ＲＳ２を繰り出し可能な繰出手段１２と、新旧長尺体ＲＳ２、ＲＳ１を接続用接着シートＳＳにより接続可能な長尺体接続装置１４とを備えて構成されている。旧長尺体ＲＳ１及び新長尺体ＲＳ２は、同様の構成をなし、複数枚の接着シートＡＳが帯状の剥離シートＲＬの一方の面に所定間隔毎に仮着されて形成されている。
【００１５】
前記繰出手段１２は、ロール状に巻回された新旧長尺体ＲＳ２、ＲＳ１を支持する支持手段２１と、この支持手段２１から繰り出されて長尺体接続装置１４を経た原反ＲＳの剥離シートＲＬを折り返して接着シートＡＳを剥離シートＲＬから剥離する剥離板２２と、剥離板２２によって剥離された接着シートＡＳを剥離板２２の下方を左方向に通過する図示しない被着体に押圧して貼付する押圧ローラ２８と、剥離板２２を経た後の剥離シートＲＬが掛け回され、駆動機器としての回動モータＤＭ１によって回転駆動される駆動ローラ２４と、駆動ローラ２４との間に剥離シートＲＬを挟み込むピンチローラ２５と、剥離シートＲＬを図示しない駆動機器によって所定のトルクで巻き取る巻取軸２６とを備えている。
【００１６】
前記支持手段２１は、旧長尺体ＲＳ１を繰り出し可能に支持する旧長尺体支持軸３０と、新長尺体ＲＳ２を繰り出し可能に支持する新長尺体支持軸３１と、これら支持軸３０、３１を連結するとともに、駆動機器としての回動モータ３４によって回転可能な連結アーム３３とを備えている。
【００１７】
前記長尺体接続装置１４は、下方に位置する旧長尺体ＲＳ１及び上方に位置する新長尺体ＲＳ２それぞれの延出方向（左右方向）を一致させた状態で、それらの一部領域を重ね合わせて重複領域ＷＡを形成し、当該重複領域ＷＡで新旧長尺体ＲＳ２、ＲＳ１を切断することで、旧長尺体ＲＳ１に終端縁ＲＳ１ｒを形成するとともに、新長尺体ＲＳ２に先端縁ＲＳ２ｆを形成し、これら終端縁ＲＳ１ｒと先端縁ＲＳ２ｆとを突き合わせて接続用接着シートＳＳにより接続するものであり、重複領域ＷＡにおける旧長尺体ＲＳ１及び新長尺体ＲＳ２の一方の面（下面）側に配置されたガイド手段３８及びそれらの他方の面（上面）側に配置された押さえ手段３９と、重複領域ＷＡで新旧長尺体ＲＳ２、ＲＳ１を切断可能な切断手段としての切断刃４１と、長尺体ＲＳ１、ＲＳ２の延出方向に交差する方向（前後方向）に切断刃４１を移動可能な移動手段４３と、接続用接着シートＳＳを供給する供給手段４５と、旧長尺体ＲＳ１の終端縁ＲＳ１ｒと新長尺体ＲＳ２の先端縁ＲＳ２ｆとに跨る領域に接続用接着シートＳＳを押圧する押圧手段４８とを備えている。
【００１８】
前記ガイド手段３８は、押圧手段４８の右側に設けられた第１ガイド部５１及び左側に設けられた第２ガイド部５２を備えている。第１、第２ガイド部５１、５２は、駆動機器としての直動モータ５７、５８と、直動モータ５７、５８のそれぞれのスライダ５７Ａ、５８Ａに支持された駆動機器としての直動モータ５５、５６と、直動モータ５５、５６それぞれの出力軸５５Ａ、５６Ａに支持され、旧長尺体ＲＳ１の下面側を減圧ポンプや真空エジェクタ等の図示しない吸引手段で吸着保持可能な吸着部５３、５４とを備えている。
【００１９】
前記押さえ手段３９は、駆動機器としての直動モータ６０と、直動モータ６０の出力軸６０Ａに支持されるとともに、前後方向に延びる溝５９Ａが下面に形成され、当該下面で新長尺体ＲＳ２の上面側を減圧ポンプや真空エジェクタ等の図示しない吸引手段で吸着保持可能な押さえ本体部５９とを備えている。押さえ本体部５９は、図示しない吸引手段による右半分の吸気系統と左半分の吸気系統の２系統が存在し、左右別々に吸着保持が可能となっている。
【００２０】
前記移動手段４３は、駆動機器としての直動モータ４３Ａからなり、そのスライダ４３Ｂに切断刃４１を支持する保持手段４６が設けられている。保持手段４６は、供給手段４５から供給される接続用接着シートＳＳを減圧ポンプや真空エジェクタ等の図示しない吸引手段で吸着保持可能に設けられている。
【００２１】
前記供給手段４５は、基材シートＢＳの一方の面に接着剤層ＡＤを有する接続用接着シートＳＳが当該接着剤層ＡＤを介して帯状の剥離シートＲＬｓの一方の面に仮着された原反ＲＳを支持する支持軸４５Ａと、ガイドローラ４５Ｂと、剥離シートＲＬｓを折り返して接続用接着シートＳＳを剥離シートＲＬｓから剥離する剥離板４５Ｃと、剥離板４５Ｃを経た後の剥離シートＲＬｓが掛け回され、駆動機器としての回動モータＤＭ２によって回転駆動される駆動ローラ４５Ｄと、駆動ローラ４５Ｄとの間に剥離シートＲＬｓを挟み込むピンチローラ４５Ｅと、剥離シートＲＬを図示しない駆動機器によって所定のトルクで巻き取る巻取軸４５Ｆとを備えている。
【００２２】
前記押圧手段４８は、駆動機器としての直動モータ４８Ａからなり、その出力軸４８Ｂで移動手段４３を支持している。
【００２３】
次に、前記長尺体接続装置１４による新旧長尺体ＲＳ２、ＲＳ１の接続方法について説明する。
【００２４】
先ず、旧長尺体ＲＳ１を旧長尺体支持軸３０に支持させ、図１（Ａ）に示すように、通紙するとともに、新長尺体ＲＳ２を新長尺体支持軸３１に支持させ、押え本体部５９の図示しない吸引手段で吸着保持させておく。そして、繰出手段１２を介して旧長尺体支持軸３０から旧長尺体ＲＳ１を繰り出す間に、当該旧長尺体ＲＳ１の残量が少なくなったことが図示しない検出手段により検出されると、繰出手段１２の回動モータＤＭ１が停止している間に、以下の動作を行う。先ず、第１及び第２ガイド部５１、５２が直動モータ５５〜５８を駆動し、旧長尺体ＲＳ１の下面に吸着部５３、５４の上面を接触させた後、図示しない吸引手段を駆動し、当該吸着部５３、５４の上面側で旧長尺体ＲＳ１を吸着保持させる。次いで、押え手段３９が直動モータ６０を駆動し、押さえ本体部５９を下降させ、旧長尺体ＲＳ１の上面側に新長尺体ＲＳ２を重ね合わせて重複領域ＷＡを形成する。
【００２５】
次に、押圧手段４８が直動モータ４８Ａを駆動し、供給手段４５の剥離板７０の下方に位置する接続用接着シートＳＳに保持手段４６を接触させた後、保持手段４６が図示しない吸引手段を駆動し、接続用接着シートＳＳを吸着保持する。その後、供給手段４５が回動モータＤＭ２を駆動し、接続用接着シートＳＳを剥離板７０で剥離する動作に同期させ、移動手段４３が直動モータ４３Ａを駆動し、保持手段４６を図１（Ｃ）中右方向に移動させる。この移動によって、切断刃４１が溝５９Ａ内を通過し、重複領域ＷＡで新旧長尺体ＲＳ２、ＲＳ１が切断され、旧長尺体ＲＳ１における切断部の左側に終端縁ＲＳ１ｒが形成されるとともに、切断部の右側に不要旧長尺体部分ＲＳ１Ｄが形成され、新長尺体ＲＳ２における切断部の右側に先端縁ＲＳ２ｆが形成されるとともに、切断部の左側に不要新長尺体部分ＲＳ２Ｄが形成される。この切断が行われている間に、接続用接着シートＳＳが保持手段４６上で吸着保持された状態となっており、切断完了後も移動手段４３が直動モータ４３Ａを駆動し、保持手段４６上で吸着保持した接続用接着シートＳＳが新旧長尺体ＲＳ２、ＲＳ１の直下所定位置に達したことが図示しない検知手段に検知されてその駆動を停止する。
【００２６】
そして、第１ガイド手段５１が直動モータ５５を駆動し、吸着部５３を下降させて不要旧長尺体部分ＲＳ１Ｄを新長尺体ＲＳ２から離間させ、直動モータ５７を駆動し、不要旧長尺体部分ＲＳ１Ｄを右方向に移動させて不要旧長尺体部分ＲＳ１Ｄを除去する。なお、除去した不要旧長尺体部分ＲＳ１Ｄは図示しない搬送手段で破棄される。その後、押圧手段４８が直動モータ４８Ａを駆動し、保持手段４６を上昇させることにより、保持手段４６に吸着保持された接続用接着シートＳＳを終端縁ＲＳ１ｒ及び先端縁ＲＳ２ｆを跨ぐ領域に押圧して貼付する。その後、保持手段４６による接続用接着シートＳＳの吸着保持を解除し、押圧手段４８が直動モータ４８Ａを駆動し、保持手段４６を下降させて接続用接着シートＳＳから保持手段４６を離間させる。
【００２７】
次に、押さえ手段３９が押さえ本体部５９の右半分の吸着保持を解除した後、直動モータ６０を駆動し、押さえ本体部５９を上昇させることで不要新長尺体部分ＲＳ２Ｄと旧長尺体ＲＳ１とを離間させて不要新長尺体部分ＲＳ２Ｄを除去する。なお、除去した不要新長尺体部分ＲＳ２Ｄは図示しない搬送手段で破棄される。そして、第２ガイド部５２が吸着保持を解除して吸着部５４を旧長尺体ＲＳ１から離間させる。その後、繰出手段１２が回動モータＤＭ１を駆動することにより、旧長尺体ＲＳ１に連続して新長尺体ＲＳ２を繰り出し可能となる。その後、回動モータ３４の駆動により、新長尺体支持軸３１が下方に位置し、当該新長尺体支持軸３１及び新長尺体ＲＳ２が旧長尺体支持軸及び旧長尺体となって順次繰り出されることとなる。また、回動モータ３４の駆動によって上方に位置した旧長尺体支持軸３０は、新長尺体支持軸となり、作業者によって次の長尺体が新長尺体として支持され、以降上記動作が繰り返されることとなる。
【００２８】
従って、このような実施形態によれば、移動手段４３を駆動することで、切断刃４１と保持手段４６とを一緒に前方に移動でき、新旧長尺体ＲＳ２、ＲＳ１の切断と接続用接着シートＳＳの貼付準備とを同時に行うことが可能となる。これにより、切断刃４１と保持手段４６とにそれぞれ移動手段を設ける従来のものに比べ、装置の大型化や構成の複雑化を防止することができる上、接続の工程に要する時間の短縮化を図ることが可能となる。
【００２９】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３０】
例えば、新旧長尺体ＲＳ２、ＲＳ１としては、帯状の接着シートや、帯状の接着シートが仮着された帯状の剥離シート、その他、紙、布、鋼板、ベルト、樹脂、木板などであってもよいし、糸、綱、針金、ケーブル等の線状体であってもよい。
また、直動モータ４３Ａに２体のスライダを有するものを採用し、一方のスライダで切断刃４１を支持し、他方のスライダで保持手段４６を支持する構成としてもよい。
更に、供給手段は、枚葉ではなく帯状の接続用接着シートを供給するものでもよく、この場合、帯状の接続用接着シートを切断する切断手段を設ければよい。
また、旧長尺体ＲＳ１と新長尺体ＲＳ２とは、材質、形状、構成、組成的に同じものでも異なるものでもよい。
更に、新旧長尺体ＲＳ２、ＲＳ１を切断する方向は、前後方向からずれた方向でもよいし、直線でなく曲線でもよいし、折れ線状であってもよい。
また、前記実施形態における駆動機器は、回動モータ、直動モータ、リニアモータ、単軸ロボット、多関節ロボット等の電動機器、エアシリンダ、油圧シリンダ、ロッドレスシリンダ及びロータリシリンダ等のアクチュエタ等を採用することができる上、それらを直接的又は間接的に組み合せたものを採用することもできる（実施形態で例示したものと重複するものもある）。
【符号の説明】
【００３１】
１４  長尺体接続装置
４１  切断刃（切断手段）
４３  移動手段
４５  供給手段
４６  保持手段
ＲＳ１  旧長尺体
ＲＳ１ｒ  終端縁
ＲＳ２  新長尺体
ＲＳ２ｆ  先端縁
ＷＡ  重複領域
【図１】
2014058370.tif 000003